(57)【特許請求の範囲】
【請求項１】
バドミントンラケット（１）の製造方法であって、以下のステップ、すなわち、
ｂ）フレーム（２）を作製するステップと、
ｃ）ロッド（６）を前記フレーム（２）に組み付けるステップと、
ｄ）ジョイント（３）を前記ロッドの１つの端部部分（６２）のまわり、及び前記フレーム（２）の２つの端部（２Ａ、２Ｂ）のまわりに組み付けるステップと、
ｅ）アセンブリ全体を成形型に配置し、規定の温度をかけるステップと、
を含み、
このプロセスは、１つの端部部分（６２）が、主部分の直径よりも小さい外径を有する形で、前記ロッド（６）を作製することからなる、前記ステップｂ）の前のステップａ）を含むことと、ステップｄ）で、前記ジョイント（３）が、前記ロッドの前記主部分（６０）の外周面（Ｓ６０）と面一になるように形成されることとを特徴とする方法。
【請求項２】
前記ステップｅ）の間、オートクレーブ成形プロセスが実施されることを特徴とする、請求項１に記載の方法。
【請求項３】
前記ステップｅ）の間、成形プロセスは、前記フレーム（２）及び前記ロッド（６）の中に延びるブラダ（Ｖ）を用いて実施されることを特徴とする、請求項１又は２に記載の方法。
【請求項４】
前記ステップａ）は、１つの端部部分の断面を小さくした円筒状マンドレルにフィラメントを巻き付けることで実施されることを特徴とする、請求項１〜３のいずれか１項に記載の方法。
【請求項５】
前記ロッド（６）を作製する前記ステップａ）は、
ｉ．フィラメントをマンドレルに巻き付けることで、断面が一定の円筒状チューブを形成することと、
ｉｉ．前記チューブの残りの部分と比較して、直径が小さい１つの端部部分を形成するために、前記チューブを機械加工することと、
からなるいくつかのサブステップを含むことを特徴とする、請求項１〜３のいずれか１項に記載の方法。
【請求項６】
前記ステップｄ）の間、前記ジョイント（３）は、予備含浸炭素繊維からなるストリップを前記ロッドの前記端部部分（６２）と前記フレーム（２）の前記２つの端部（２Ａ、２Ｂ）の両方とに巻き付けて組み込むことで作製されることを特徴とする、請求項１〜５のいずれか１項に記載の方法。
【請求項７】
前記ロッドの前記端部部分（６２）と前記フレーム（２）の前記２つの端部（２Ａ、２Ｂ）の両方とに巻き付けられた、予備含浸炭素繊維からなる前記ストリップは、Ｔ字形ジョイント（３）を形成することを特徴とする、請求項６に記載の方法。
【発明の詳細な説明】
【技術分野】
【０００１】
本発明は、バドミントンラケット及びバドミントンラケットの製造方法に関する。
【背景技術】
【０００２】
ラケットスポーツの分野において、（特許文献１）は、メッシュ構造物を支持する長円形フレームと、ハンドルと、フレームをハンドルに連結するロッドとを含む公知のバドミントンラケットを提示している。ラケットはまた、フレームとロッドとの間の連結接合を補強するＴ字形ジョイントを含む。このＴ字形ジョイントは、予備含浸（プレプレグ）炭素繊維からなるストリップを組み込むことで形成され、このストリップは、ロッドの１つの端部部分に巻き付けられ、フレームの２つの端部内に入り込む。このタイプのラケットの作製において、Ｔ字形ジョイントは、成形型内での焼成プロセスによって、ロッド及びフレームを互いに一体にくっつけるのに寄与し、ラケットは、１つの一体品として形成されて成形型から出てくる。ロッドは、円筒状で、かつ中空であり、ロッドの全長にわたって一定断面を有する。このため、ロッドの端部部分に巻き付けられたＴ字形ジョイントは、ロッドを基準として余分な厚さをもたらす。この余分な厚さのために、完成品が見た目に美しくなく、ラケットの重量が増大する。
【先行技術文献】
【特許文献】
【０００３】
【特許文献１】中国実用新案第２８８２７０５号明細書
【発明の概要】
【発明が解決しようとする課題】
【０００４】
本発明が、より軽量で、美的により魅力のあるバドミントンラケットを提案することで、特に改善を企図するのは、これらの欠点である。
【課題を解決するための手段】
【０００５】
このため、本発明は、フレームと、ハンドルと、フレームをハンドルに連結するロッドと、ロッドの端部部分及びフレームの２つの端部を囲んで配置された、ロッドとフレームとの間の連結ジョイントとを含むバドミントンラケットに関する。本発明によれば、端部部分は、ロッドの主部分の直径よりも小さい外径を有し、ジョイントは、ラケットを組み立てた構成で、ロッドの主部分の外周面と面一になる。
【０００６】
本発明に基づいて、Ｔ字形ジョイントは、ロッドの主部分と比べて、余分に厚い部分が全くないようにロッドの端部部分を囲んで配置される。こうして、バドミントンラケットは、より良好に仕上がり、より軽量になる。
【０００７】
有益であるが必須ではない本発明の態様によれば、１つのそのようなバドミントンラケットは、技術的に許容できる任意の組み合わせに基づいて考慮された以下の特徴の１つ又は複数を含むことができる。
−ロッド、フレーム、及びジョイントは、複合材料、特に、予備含浸（プレプレグ）炭素繊維でできている。
−連結ジョイントは、「Ｔ字」状に成形される。
【０００８】
本発明はまた、バドミントンラケットの製造方法に関し、その方法は、以下のステップ、すなわち、
ｂ）フレームを作製するステップと、
ｃ）ロッドをフレームに組み付けるステップと、
ｄ）ジョイントをロッドの１つの端部部分のまわり、及びフレームの２つの端部のまわりに組み付けるステップと、
ｅ）アセンブリ全体を成形型に配置し、規定の温度をかけるステップと、
を含む。
【０００９】
この方法は、１つの端部部分が、主部分の直径よりも小さい外径を有する形で、ロッドを作製することからなる、ステップｂ）の前のステップａ）を含み、それに対して、ステップｄ）では、ジョイントが、ロッドの主部分の外周面と面一になるように形成される。
【００１０】
有益であるが必須ではない態様によれば、そのような方法は、技術的に許容できる任意の組み合わせで考慮された以下の１つ又は複数の特徴を含むことができる。
−ステップｅ）の間、オートクレーブ成形プロセスが実施される。
−ステップｅ）の間、成形プロセスは、フレーム及びロッドの中に延びるブラダを用いて実施される。
−ステップａ）は、１つの端部部分の断面を小さくした円筒状マンドレルにフィラメントを巻き付けることで実施される。
−ロッドを作製するステップａ）は、フィラメントをマンドレルに巻き付けることで、断面が一定の円筒状チューブを形成することと、チューブの残りの部分と比較して直径が小さい１つの端部部分を形成するために、チューブを機械加工することとからなるいくつかのサブステップを含む。
−ステップｄ）の間、ジョイントは、予備含浸炭素繊維からなるストリップをロッドの端部部分、及びフレームの２つの端部に巻き付けて組み込むことで作製される。
−ロッドの端部部分、及びフレームの２つの端部に巻き付けた、予備含浸炭素繊維からなるストリップは、Ｔ字形ジョイントを形成する。
【００１１】
単なる例として提示され、図面を参照して行われる、本発明の原理に従ったバドミントンラケットの実施形態の以下の説明から、本発明、及び本発明の他の利点が、より深く理解されるであろう。
【図面の簡単な説明】
【００１２】
【図１】本発明によるバドミントンラケットの斜視図である。
【図２】成形する前の、図１に示すラケットのフレームとロッドとのアセンブリの正面からの概略図である。
【図３】特に、Ｔ字形ジョイントを用いた、ロッドとフレームとの間の連結を原理的に示す断面図である。
【発明を実施するための形態】
【００１３】
図１には、長手軸Ｘ１に沿って延びるバドミントンラケット１が示されている。このラケット１は、メッシュ構造物８を支持する、長円形で、かつ中空のフレーム２を含む。このフレーム２は、図２及び図３の両方で見ることができる２つの端部２ａ、２ｂを含む。メッシュ構造物８は、一連の縦ストリング８２、すなわち、軸Ｘ１に平行に延びる一連の縦ストリング８２と、軸Ｘ１に垂直であり、８のメッシュ構造物の平面内に含まれる横軸Ｘ２に沿って延びる一連の横ストリング８４とによって形成されている。ラケット１はまた、ハンドル４と、ハンドル４をフレーム２に連結する連結ロッド６とを含む。
【００１４】
図２及び図３に示すように、ロッド６は、環状の断面を有するチューブであり、このチューブは、ハンドル４を固定する主部分６０と、フレーム２に連結するための連結端部部分６２とを含む。この端部部分６２は、主部分６０の直径Ｄ６０よりも小さい外径Ｄ６２と、主部分６０の内径ｄ６０に等しい内径ｄ６２とを有するチューブである。ロッド６の端部部分６２は、外周面取り部６１によって主部分６０に連結されている。実際上、端部部分６２の外径Ｄ６２は、主部分６０の外径Ｄ６０の７５％〜９０％である。
【００１５】
ラケット１はまた、ロッド６とフレーム２との間に連結ジョイント３を含む。ジョイント３は、図３に太い軸線（ａｘｉｓ  ｌｉｎｅｓ）で概略的に示されている。ロッド６、フレーム２、及びジョイント３は、複合材料、特に、エポキシ母材をベースとした炭素繊維であるプレプレグ複合材料でできている。
【００１６】
ジョイント３は、図示しない予備含浸炭素繊維からなるストリップをロッド６の端部部分６２及びフレーム２の２つの端部２ａ、２ｂに巻き付けて組み込むことで形成される。ロッド６、フレーム２、及びジョイント３が、ラケットで一体に固化されると、炭素ストリップは、ロッド６とフレーム２との間の連結部の幾何形状により、Ｔ字形ジョイントを形成する。このＴ字形ジョイント３は、ロッド６の主部分６０の外周面Ｓ６０と面一である外面Ｓ３を有する。このように、ジョイント３は、ラケット１を組み立てた構成で、ロッド６の主部分６０の外周面Ｓ６０と面一になり、ロッド６に余分に厚い部分を全く形成しない。したがって、バドミントンラケット１は、先行技術から公知のラケットと比較して、より良好に仕上がり、軽量さという点で利益を得る。実際上、このＴ字形ジョイントを形成するために使用されるプレプレグ炭素ストリップの数量は１０〜２０、特に、１４である。
【００１７】
ここで、バドミントンラケット１の製造方法を下記に説明する。
【００１８】
説明する実施形態では、ロッド６及びフレーム２は別々に作製される。ロッド６は、断面を小さくした端部部分を有する、図示しない円筒状マンドレルにフィラメントを巻き付けることで作製される。この巻付けは、レジンを予備含浸された炭素繊維をマンドレルに巻き付けることからなり、この場合に、マンドレルはその回転軸のまわりに回転する。次いで、レジンを架橋温度まで過熱することでレジンを重合させ、これは、織り合わせた繊維の組織を固化させ、それにより、マンドレルの幾何形状と合致する硬化チューブを形成することを可能にする。このチューブは、直接的にラケット１のロッド６になる。
【００１９】
しかし、ロッド６は、フィラメント巻付けを用いて、すなわち、長方形の予備含浸シートを、一定断面を有する円筒状マンドレルに巻き付けることで、一定断面を有するチューブを形成し、続いて、チューブの端部部分を機械加工、又は切削して、直径を端部部分に対応するレベルまで小さくすることで作製することもできる。
【００２０】
ロッド６は、長方形の予備含浸シートではなくて、斜角を付けたシートを円筒状マンドレルに巻き付けることで得ることもできる。
【００２１】
上記の２つの製造技術は、フレーム２とは別にロッド６を焼成するのを可能にし、したがって、ロッド６に関して、均質で高い機械抵抗特性を得ることができるようにする。ただし、特に、低価格帯のバドミントンラケットに対して、ロッド６及びフレーム２を一緒に焼成することを想定することも可能である。
【００２２】
フレーム２は次の態様で作製される。レジンを予備含浸された炭素繊維からなる多層シートを可撓性ブラダＶに巻き付ける。このブラダＶは、圧縮空気が内部に注入された場合に膨らむように構成されたナイロンチューブである。カーボンシートを巻き付けたブラダＶは曲げられ、次いで、図示しない成形型の第１の部分のキャビティの内部に配置される。この場合に、このキャビティは略長円形である、すなわち、フレーム２の形状と合致するように形成されている。ブラダＶは、図の明瞭性を確保するために図３に示されていない。
【００２３】
図３に示すように、フレーム２の２つの端部２Ａ、２Ｂは、ブラダＶの通過を可能にするために、若干の間隔Ｉ１を置いて、向かい合って配置されている。言い換えると、フレーム２の端部２Ａ、２Ｂはつながっていない。フレーム２の端部２Ａ、２Ｂは、ロッド６の端部部分６２の自由端に当接するように配置され、Ｖブラダの２つの端部は、ロッド６の内部を通り抜ける。図２では、ロッド６は、図の明瞭性を確保するために、破線の輪郭で示すように、長手方向に部分的に示されている。
【００２４】
その後、ジョイント３が作製される。そのために、レジンを予備含浸された、図示していない炭素ストリップをロッドの端部部分６２、及びフレーム２の端部２Ａ、２Ｂに巻き付ける。これらのストリップは、ロッド６の主部分６０と比較して、余分に厚い部分を全く形成しないように、すなわち、外側に最も突出した炭素ストリップが、主部分６０の外周面Ｓ６０と面一になるように巻き付けられる。フレーム２をロッド６に対して位置決めするために、ジョイント３を構成するバンドを「Ｔ字」の形態で配置する。
【００２５】
次いで、図示していない成形型の第２の部分を取り付けることで、成形型を密閉した態様で閉じる。この第２の部分は、第１の部分のキャビティと相補的であるキャビティを画定する。次いで、特に、レジンの架橋温度に達するまで、成形型を高い温度にさらす。したがって、これは、オートクレーブ成形プロセスを伴う。同時に、図２の矢印Ｆ１、Ｆ２で示すように、ブラダＶを圧縮空気で膨らませる。ブラダを用いたこの成形プロセスは、一方で、フレーム２が成形型の２つの部分のキャビティの壁に押し当たって成形されるために、フレーム２の外径を、他方で、ブラダＶに注入される空気の圧力のレベルによって内径を、正確な態様で制御することを可能にする。成形型から取り出すと、フレーム２及びロッド６は、１つの一体品として形成されて出てくる。ブラダＶは、ラケット内に恒久的に残っても差し支えない。
【００２６】
さらに、ロッド６は２回焼成される。すなわち、フレーム２とは別に一度焼成され、フレーム２とともに組み立てられる別の時点で焼成される。
【００２７】
本明細書で上記に説明した実施形態及び変形型の実施形態の特徴は、本発明の新たな実施形態を生み出すように、互いに組み合わせることができる。
【図１】
0006622282.tif 000002
【図２】
0006622282.tif 000003
【図３】
0006622282.tif 000004